(57)【要約】【課題】缶入り飲料等のお供えや供養物を見た目に美しく飾ることができ、法事や仏事の荘厳な雰囲気の演出に寄与することができる仏事用の装飾装置を提供する。【解決手段】背板２の前面に、その上下対向面間に缶入り供養物が納まる間隔を有する下部棚板３及び上部棚板５を突設し、前記下部棚板３を台脚６で支持して装飾装置１が形成され、下部棚板３と上部棚板５の上下対向面間に缶入り供養物７を配置し、前記上部棚板５の上面に装飾具４を載置する。【選択図】図１
2008073079.tif 000002
【特許請求の範囲】
【請求項１】
背板と、この背板の前面に突設され、その上下対向面間に缶入り供養物が納まる間隔を有する上部棚板及び下部棚板と、前記下部棚板を支持する台脚とで形成され、上部棚板と下部棚板の上下対向面のそれぞれに缶入り供養物の端部が納まる凹孔が設けられ、前記上部棚板の上面に装飾具を載置するようにした仏事用の装飾装置。
【請求項２】
上記背板と上部棚板及び下部棚板、台脚が段ボールや厚紙を用いて形成され、前記背板の背面で上下方向に沿って補強桟を設けた請求項１に記載の仏事用の装飾装置。
【請求項３】
上記上部棚板と下部棚板が、一枚の段ボールや厚紙を用い、後板の上端に上部棚板と下端に下部棚板が連なるコ字状に折り曲げて形成され、前記後板を背板の前面に重ねて固定することにより背板の前面に上部棚板と下部棚板を配置した請求項１又は２に記載の仏事用の装飾装置。
【発明の詳細な説明】
【技術分野】
【０００１】
この発明は、法事や仏事において、仏前や祭壇等に設置して飾る仏事用の装飾装置に関する。
【背景技術】
【０００２】
法事や仏事を執り行う場合、仏前や祭壇等に各種装飾具を設置して荘厳な雰囲気をかもし出すようにしているが、同時に各種食品がお供えや供養物として提供されたり、これを主催者側が用意するようにしている。
【０００３】
上記のお供えや供養物として、近年最も多いのは缶入り飲料であり、日持ちがするだけでなく実用的であるので便利である。
【発明の開示】
【発明が解決しようとする課題】
【０００４】
従来、お供え物や供養物は、仏前や祭壇等に対して単に並べ置くだけのものであるため、法事や仏事の荘厳な雰囲気の演出に寄与しないだけでなく、仏前や祭壇の前に並べただけでは、式の後にこれらを供養物として参列者に分配して持ち帰ってもらう場合に、有り難味の薄いものとなる。
【０００５】
そこで、この発明の課題は、缶入り飲料等のお供えや供養物を見た目に美しく飾ることができ、法事や仏事の荘厳な雰囲気の演出に寄与することができると共に、式の後にこれらを供養物として有り難く参列者に分配して持ち帰ってもらうことができる仏事用の装飾装置を提供することにある。
【課題を解決するための手段】
【０００６】
上記の課題を解決するため、この発明は、背板と、この背板の前面に突設され、その上下対向面間に缶入り供養物が納まる間隔を有する上部棚板及び下部棚板と、前記下部棚板を支持する台脚とで形成され、上部棚板と下部棚板の上下対向面のそれぞれに缶入り供養物の端部が納まる凹孔が設けられ、前記上部棚板の上面に装飾具を載置するようにした構成を採用したものである。
【０００７】
上記背板と上部棚板及び下部棚板、台脚が段ボールや厚紙を用いて形成され、前記背板の背面で上下方向に沿って補強桟を設けた構造とすることができる。
【０００８】
また、上記上部棚板と下部棚板が、一枚の段ボールや厚紙を用い、後板の上端に上部棚板と下端に下部棚板が連なるコ字状に折り曲げて形成され、前記後板を背板の前面に重ねて固定することにより背板の前面に上部棚板と下部棚板を配置したものとすることができる。
【０００９】
ここで、上記上部棚板と下部棚板は、それぞれ段ボールや厚紙を複数枚重ねて形成され、上部棚板と下部棚板の上下対向面のそれぞれに設けた缶入り供養物の端部が納まる凹孔は、対向する一枚の段ボールや厚紙に、缶入り供養物の巻き締め端部が圧入嵌合する円形の抜き孔を設けることによって形成されている。
【００１０】
従って、上部棚板と下部棚板間に缶入り供養物を差し込んで、上下の円形の抜き孔に上下の端部をはめ込むことにより、缶入り供養物は安定よく保持され、上部棚板と下部棚板間において、装飾装置の一部となる。
【００１１】
上記上部棚板の上面に載置する装飾具として、灯篭を例示することができ、上部棚板の上面を形成する一枚の段ボールや厚紙に、灯篭の円形座が圧入嵌合する円形の抜き孔を設け、この抜き孔に円形座を嵌めて上部棚板の上面に載置した灯篭の上部を背板に糸や針金で固定すれば、安定よく飾ることができる。
【発明の効果】
【００１２】
この発明によると、背板の前面に突設された上部棚板と下部棚板の上下対向面のそれぞれに缶入り供養物の端部が納まる凹孔が設けられ、前記上部棚板の上面に装飾具を載置するようにしたので、外面の意匠を利用して缶入り供養物を見た目に美しい装飾部材とすることができ、上部棚板上に設置した装飾具との相乗効果によって、法事や仏事の荘厳な雰囲気の演出に寄与することができると共に、缶入り供養物は仏前や祭壇に飾られることで、式の後にこれらを供養物として有り難く参列者に分配して持ち帰ってもらうことができる。
【００１３】
また、背板と上部棚板及び下部棚板、台脚が段ボールや厚紙を用いて形成することにより、コスト的に安価であるだけでなく、使用済み後の処分も簡単で環境に悪影響を与えることもない。
【発明を実施するための最良の形態】
【００１４】
以下、この発明の実施の形態を図示例に基づいて説明する。
【００１５】
図示のように、仏事用の装飾装置１は、上下に長く下部が広幅で上部に向けて幅が細くなる背板２と、この背板２の前面で上下中間部の位置に突設された下部棚板３及びその上面に装飾具４を載置する上部棚板５と、前記下部棚板３を支持する台脚６とで形成され、これらの材料には段ボールや厚紙が用いられている。
【００１６】
上記下部棚板３と上部棚板５は、平面的に矩形状となるよう形成され、上下対向面間に缶入り供養物７が納まる間隔を有するように、その後縁を背板２に接着したり、後縁に設けた舌片を背板２のスリットに差し込む等の組み立て手段によって固定されている。
【００１７】
上記下部棚板３と上部棚板５は、図２のように、段ボールや厚紙を複数枚重ねた水平部分の周縁に飾り縁を設けて形成され、この下部棚板３と上部棚板５の上下対向面のそれぞれに缶入り供養物７の端部が納まる凹孔８、８が重ならないような配列で複数組み設けられ、前記上部棚板５の上面に装飾具４を載置するようになっている。
【００１８】
上記下部棚板３と上部棚板５の上下対向面のそれぞれに設けた缶入り供養物７の端部が納まる上下の凹孔８、８は、上下に対面する側に位置する一枚の段ボールや厚紙に、缶入り供養物の巻き締め端部７ａが圧入嵌合する直径の円形の抜き孔を上下同軸心の配置で設けることによって形成され、この凹孔８、８を用いて下部棚板３と上部棚板５の間に缶入り供養物７を取付けることにより、台脚６で支持された下部棚板３の上部に缶入り供養物７を介して上部棚板５が水平に支持されることになり、缶入り供養物７は下部棚板３と上部棚板５間において前側や両側から見え、装飾装置１の一部を構成することになる。
【００１９】
上記上部棚板５の上面に載置する装飾具４として、図示のような灯篭を例示することができ、上部棚板５の上面を形成する一枚の段ボールや厚紙に、装飾具４の円形座４ａが圧入嵌合する円形の抜き孔９を設け、この抜き孔９に円形座４ａを嵌めて上部棚板５の上面に載置した装飾具４の上部を背板２に糸や針金１０で固定すれば、上部棚板５の上面に装飾具４を安定よく飾ることができる。
【００２０】
この装飾具４は、電飾の灯篭に特定されるものではなく、提灯、蓮華灯等、仏事や法事に適応したものを選択して用いればよい。
【００２１】
図示の場合、この上部棚板５の上面前部の位置に、表面に装飾模様を施した段ボールや厚紙製の装飾板１１を起立配置し、背板２の前面上部に鳥形等の装飾具１２を取付けている。
【００２２】
また、背板２の背面には、段ボールや厚紙を用いて断面コ字状や角パイプに折り曲げ形成した背骨用の補強桟１３を上下方向に沿って接着等の手段で取付け、背板２の撓み発生を防いで起立強度を補強している。
【００２３】
なお、上記した缶入り供養物７としては、缶入り飲料、缶入り食品、缶入り線香、缶入り蝋燭等を例示することができる。
【００２４】
図４と図５は、背板２の前面に設ける下部棚板３と上部棚板５の他の構造を示し、上記下部棚板３と上部棚板５が、一枚の段ボールや厚紙を用い、垂直となる後板１４の上端に上部棚板５と下端に下部棚板３が連なって上下に対向するコ字状に折り曲げて形成され、前記後板１４を背板２の前面に重ねて接着や針止等の手段で固定することにより背板２の前面に上部棚板５と下部棚板３を配置するようになっている。
【００２５】
上記下部棚板３と上部棚板５間の先端部には、帯状の段ボールや厚紙を用いて矩形枠にした支持枠１５を嵌め込み固定し、下部棚板３と上部棚板５の先端部間の間隔を一定に保持すると共に、上部棚板５の先端部の垂れ下がり発生を防いでいる。
【００２６】
上記下部棚板３と上部棚板５には、缶入り供養物７の巻き締め端部７ａが圧入嵌合する直径の円形の凹孔８、８が上下同軸心の配置で設けられ、下部棚板３と上部棚板５の間に缶入り供養物７を取付けることができるようになっている。
【００２７】
このように、下部棚板３と上部棚板５が後板１４で一体構造となり、支持枠１５を組み合わせた構造にすると、下部棚板３と上部棚板５及び缶入り供養物７を独立した組み合わせ物として構成でき、搬送や現場での装飾装置の組み立てに便利となる。
【００２８】
上記のような一体構造の下部棚板３と上部棚板５の使用時においては、図５のように、下部棚板３が台脚６の上面に重なり、上部棚板５の上面には、装飾具４の円形座４ａが圧入嵌合する円形の抜き孔９を設けた上板５ａが重ねられ、缶入り供養物７が離脱するようなことはない。
【００２９】
この発明の装飾装置は、上記のような構成であり、台脚６で支持した下部棚板３とその上部に位置する上部棚板５の間に複数の缶入り供養物７を取付け、上部棚板５の上に装飾具４を載置固定し、更に、背板２の前面上部に鳥形等の装飾具１２を取付ければ図３のように装飾装置１が組み上がり、この装飾装置１を葬儀や法事の会場において祭壇や仏前に設置する。
【００３０】
組み上がった装飾装置１は、缶入り供養物７を外面の意匠を利用して見た目に美しい装飾部材とすることができ、上部棚板５上や背板２の上部に設置した装飾具４、１２との相乗効果によって、法事や仏事の荘厳な雰囲気の演出に寄与することができる。
【００３１】
また、使用後の装飾装置１は、装飾具４、１２を取外して再使用すると共に、背板２と下部棚板３、上部棚板５、台脚６を分解して廃棄し、缶入り供養物７は仏前や祭壇に飾られることで、式の後にこれらを供養物として有り難く参列者に分配して持ち帰ってもらうことができる。
【図面の簡単な説明】
【００３２】
【図１】（ａ）はこの発明に係る装飾装置の正面図、（ｂ）は同背面図
【図２】この発明に係る装飾装置の拡大した縦断側面図
【図３】この発明に係る装飾装置の組み上がった状態を示す斜視図
【図４】この発明に係る装飾装置の下部棚板と上部棚板の他の例を示す分解斜視図
【図５】他の例の下部棚板と上部棚板を背板に取付けた装飾装置の拡大した縦断側面図
【符号の説明】
【００３３】
１        装飾装置
２        背板
３        下部棚板
４        装飾具
５        上部棚板
６        台脚
７        缶入り供養物
８        凹孔
９        抜き孔
１０      針金
１１      装飾板
１２      装飾具
１３      補強桟
１４      後板
１５      支持枠
【図１】
2008073079.tif 000003
【図２】
2008073079.tif 000004
【図３】
2008073079.tif 000005
【図４】
2008073079.tif 000006
【図５】
2008073079.tif 000007